(57)【特許請求の範囲】
【請求項１】
ハロゲン化銀写真感光材料を搬送するための処理ラックを内蔵し、処理液を貯留でき、貯留した処理液で前記処理ラックで搬送されているハロゲン化銀写真感光材料を処理する処理槽と、
前記処理槽で処理されたハロゲン化銀写真感光材料を搬送しながら処理する第二の処理部と、
前記処理槽に貯留された処理液に浸漬していない前記処理槽から前記第二の処理部へとハロゲン化銀写真感光材料を搬送するための渡りローラと、
を有する自動現像機において、
前記渡りローラに洗浄水を供給する供給手段と、
運転を停止する時に、前記供給手段が前記渡りローラに洗浄水を供給するように制御する給水制御手段と、
前記運転を停止する時から予め設定された運転再開時間後に、少なくとも前記処理槽及び前記第二の処理部を制御して、運転を開始させる制御手段とを有し、
前記給水制御手段が、前記供給手段が、前記運転再開時間に応じた量の前記洗浄水を前記渡りローラへ供給するように制御し、
前記供給手段が前記渡りローラに供給した洗浄水を、前記処理槽へ供給することを特徴とする自動現像機。
【請求項２】
前記給水制御手段が、前記運転を停止する時に、前記渡りローラに所定量の洗浄水を供給し、運転を開始する時に、前記供給手段が前記渡りローラに供給する洗浄水の量が、前記運転を停止する時から前記運転を開始するまでの時間に応じた量であるように、制御することを特徴とする請求項１に記載の自動現像機。
【請求項３】
ハロゲン化銀写真感光材料を搬送するための処理ラックを内蔵し、処理液を貯留でき、貯留した処理液で前記処理ラックで搬送されているハロゲン化銀写真感光材料を処理する処理槽と、
前記処理槽で処理されたハロゲン化銀写真感光材料を搬送しながら処理する第二の処理部と、
前記処理槽に貯留された処理液に浸漬していない前記処理槽から前記第二の処理部へとハロゲン化銀写真感光材料を搬送するための渡りローラと、
を有する自動現像機において、
前記渡りローラに洗浄水を供給する供給手段と、
運転を開始する時に、前記供給手段が前記渡りローラに洗浄水を供給するように制御する給水制御手段とを有し、
前記給水制御手段が、前記供給手段が、前記運転を停止する時から運転を開始する時までの時間に応じた量の前記洗浄水を、前記渡りローラに供給するように制御し、
前記供給手段が前記渡りローラに供給した洗浄水を、前記処理槽へ供給することを特徴とする自動現像機。
【発明の詳細な説明】
【０００１】
【発明の属する技術分野】
本発明は、ハロゲン化銀写真感光材料を処理する自動現像機に関する発明である。
【０００２】
【従来の技術】
ハロゲン化銀写真感光材料を処理する自動現像機として、従来から、ハロゲン化銀写真感光材料を搬送するための処理ラックを内蔵し、処理液を貯留でき、貯留した処理液で前記処理ラックで搬送されているハロゲン化銀写真感光材料を処理する処理槽と、前記処理槽で処理されたハロゲン化銀写真感光材料を搬送しながら処理する第二の処理部と、前記処理槽に貯留された処理液に浸漬していない前記処理槽から前記第二の処理部へとハロゲン化銀写真感光材料を搬送するための渡りローラと、を有する自動現像機が、広く用いられている。
【０００３】
しかし、このような自動現像機では、ハロゲン化銀写真感光材料に付着している処理液が渡りローラに付着するものである。そして、このような自動現像機で、長時間、運転停止すると、渡りローラに付着した処理液が変質したり、水分が蒸発したりして、渡りローラの表面に固形分が析出したり、変質分がタール状に付着したりなどし、その後に処理されたハロゲン化銀写真感光材料が、汚れた物になったり、傷ついたものになったりする問題がある。
【０００４】
そこで、従来、このような自動現像機では、この渡りローラを有する渡りラックを前記処理槽や前記第二の処理部とは分離可能に設け、運転停止時や長時間処理しない時に、この自動現像機の管理者などが、この渡りラックを前記処理槽や前記第二の処理部から分離して、洗浄し、洗浄した渡りラックをセットするのが、一般的であった。
【０００５】
また、特許第２６９２７１４号公報には、ハロゲン化銀写真感光材料を搬送するための処理ラックを内蔵し、現像液を貯留でき、貯留した現像液で前記処理ラックで搬送されているハロゲン化銀写真感光材料を現像処理する現像処理槽と、前記現像処理槽で処理されたハロゲン化銀写真感光材料を搬送しながら定着処理する定着処理部と、前記現像処理槽に貯留された現像液に浸漬していない前記現像処理槽から前記定着処理部へとハロゲン化銀写真感光材料を搬送するための渡りローラと、を有する自動現像機において、前記定着処理部への補充定着液を、前記渡りローラを介して供給することが、開示されている。
【０００６】
しかし、単に、このようにすると、補充定着液を前記渡りローラを介して供給した直後は、渡りローラの表面に析出した固形分やタール状に付着した変質分が流され、渡りローラが洗浄されるが、前記渡りローラには、前記定着処理部の定着液ではなく、前記現像処理槽に貯留されていた現像液が付着しているので、定着処理部に貯留されている定着液に含まれる不純物が増える問題がある。また、現像処理液成分は流されても、補充定着液（定着液より濃厚である場合がある）が渡りローラに付着し、渡りローラに付着した定着液が変質したり、水分が蒸発したりして、渡りローラの表面に固形分が析出したり、変質分がタール状に付着したりなどし、その後に処理されたハロゲン化銀写真感光材料が、汚れた物になったり、傷ついたものになったりする問題が残る。
【０００７】
また、特許第２６７０９３２号公報には、ハロゲン化銀写真感光材料を搬送するための処理ラックを内蔵し、漂白定着液を貯留でき、貯留した漂白定着液で前記処理ラックで搬送されているハロゲン化銀写真感光材料を漂白定着処理する漂白定着処理槽と、前記漂白定着処理槽で処理されたハロゲン化銀写真感光材料を搬送しながら水洗処理する水洗処理部と、前記漂白定着処理槽に貯留された漂白定着液に浸漬していない前記漂白定着処理槽から前記水洗処理部へとハロゲン化銀写真感光材料を搬送するための渡りローラと、を有する自動現像機において、水洗処理槽に貯留されている水洗水を前記渡りローラに供給し、前記水洗処理槽に戻すことが、開示されている。
【０００８】
しかし、このようにすると、前記渡りローラには、前記漂白定着処理槽に貯留されていた漂白定着液が付着しているので、水洗処理部に貯留されている水洗水に含まれる不純物が増える問題がある。
【０００９】
【発明が解決しようとする課題】
本願発明は、かかる点に鑑みてなされたもので、長時間、運転停止しても、その後に処理されたハロゲン化銀写真感光材料が、汚れた物になったり、傷ついたものになったりする問題の発生を抑制することを目的とする。
【００１０】
また、特許第２６９２７１４号公報や特許第２６７０９３２号公報が開示する技術に対して、以下のようなことも考えた。即ち、ハロゲン化銀写真感光材料を搬送するための処理ラックを内蔵し、処理液を貯留でき、貯留した処理液で前記処理ラックで搬送されているハロゲン化銀写真感光材料を処理する処理槽と、前記処理槽で処理されたハロゲン化銀写真感光材料を搬送しながら処理する第二の処理部と、前記処理槽に貯留された処理液に浸漬していない前記処理槽から前記第二の処理部へとハロゲン化銀写真感光材料を搬送するための渡りローラと、を有する自動現像機において、渡りローラに水を供給する部材を設け、この部材から供給された水で渡りローラを洗浄して、渡りローラを洗浄した水を廃液として廃液容器に入るようにすることで、渡りローラを自動的に洗浄することも考えた。だが、渡りローラを洗浄した水を廃液とするので、廃液量が増大する問題がある。
【００１２】
【課題を解決するための手段】
本発明の上記目的は、特許請求の範囲の各請求項に記載の発明を特定するための事項の全てにより達成される。以下、各請求項について説明する。但し引用項の説明と重複する事項は省略することがある。また、本発明の１つの要素が１つの部材からなっていてもよいし、複数の部材からなっていてもよいことは言うまでもなく、また、１又は複数の部材が本発明の複数の要素を兼ねていてもよいことは言うまでもない。
【００１３】
〔請求項１〕  ハロゲン化銀写真感光材料を搬送するための処理ラックを内蔵し、処理液を貯留でき、貯留した処理液で前記処理ラックで搬送されているハロゲン化銀写真感光材料を処理する処理槽と、
前記処理槽で処理されたハロゲン化銀写真感光材料を搬送しながら処理する第二の処理部と、
前記処理槽に貯留された処理液に浸漬していない前記処理槽から前記第二の処理部へとハロゲン化銀写真感光材料を搬送するための渡りローラと、
を有する自動現像機において、
前記渡りローラに洗浄水を供給する供給手段と、
運転を停止する時に、前記供給手段が前記渡りローラに洗浄水を供給するように制御する給水制御手段と、
前記運転を停止する時から予め設定された運転再開時間後に、少なくとも前記処理槽及び前記第二の処理部を制御して、運転を開始させる制御手段とを有し、
前記給水制御手段が、前記供給手段が、前記運転再開時間に応じた量の前記洗浄水を前記渡りローラへ供給するように制御し、
前記供給手段が前記渡りローラに供給した洗浄水を、前記処理槽へ供給することを特徴とする自動現像機。
【００１４】
〔請求項２〕 前記給水制御手段が、前記運転を停止する時に、前記渡りローラに所定量の洗浄水を供給し、運転を開始する時に、前記供給手段が前記渡りローラに供給する洗浄水の量が、前記運転を停止する時から前記運転を開始するまでの時間に応じた量であるように、制御することを特徴とする請求項１に記載の自動現像機。
【００１５】
〔請求項３〕  ハロゲン化銀写真感光材料を搬送するための処理ラックを内蔵し、処理液を貯留でき、貯留した処理液で前記処理ラックで搬送されているハロゲン化銀写真感光材料を処理する処理槽と、
前記処理槽で処理されたハロゲン化銀写真感光材料を搬送しながら処理する第二の処理部と、
前記処理槽に貯留された処理液に浸漬していない前記処理槽から前記第二の処理部へとハロゲン化銀写真感光材料を搬送するための渡りローラと、
を有する自動現像機において、
前記渡りローラに洗浄水を供給する供給手段と、
運転を開始する時に、前記供給手段が前記渡りローラに洗浄水を供給するように制御する給水制御手段とを有し、
前記給水制御手段が、前記供給手段が、前記運転を停止する時から運転を開始する時までの時間に応じた量の前記洗浄水を、前記渡りローラに供給するように制御し、
前記供給手段が前記渡りローラに供給した洗浄水を、前記処理槽へ供給することを特徴とする自動現像機。
【００２２】
〔用語などの説明〕
運転を停止する時とは、処理槽がハロゲン化銀写真感光材料を通常に処理できる状態から処理槽の電源が切られるまでの時（もちろん、処理槽がハロゲン化銀写真感光材料を通常に処理できる状態の時を含まない。）をいう。通常、このような時は、処理ラックがハロゲン化銀写真感光材料を搬送しない状態であり、また、処理槽に貯留されている処理液の温度調整が停止しており、また、処理槽に貯留されている処理液の循環も停止されているが、これらに限られない。
【００２３】
運転を開始する時とは、処理槽の電源が入ってから、前記処理槽がハロゲン化銀写真感光材料を通常に処理できる状態になるまでの時（もちろん、処理槽がハロゲン化銀写真感光材料を通常に処理できる状態の時を含まない。）をいう。通常、このような時は、処理ラックがハロゲン化銀写真感光材料を搬送しない状態であり、また、処理槽に貯留されている処理液の温度調整が停止しており、また、処理槽に貯留されている処理液の循環も停止されているが、これらに限られない。
【００２４】
【発明の実施の形態】
以下に本発明に関する具体例の一例を実施形態として示すが、本発明はこれらに限定されない。また、実施形態には、用語等に対する断定的な表現があるが、本発明の好ましい例を示すもので、本発明の用語の意義や技術的範囲を限定するものではない。
【００２５】
実施形態
本実施形態の装置は、ハロゲン化銀写真感光材料であるプリント用感光材料を現像処理する自動現像機３００を内蔵するプリンタプロセッサである。以下、本実施形態のプリンタプロセッサの概略斜視図である図１、概略正面図である図２、概略上面図である図３、概略左側面図である図４、概略正面断面図である図５に基づいて、本実施形態のプリンタプロセッサの概略構成を説明する。
【００２６】
本実施形態のプリンタプロセッサは、デジタル画像データの処理とプリンタプロセッサ全体の制御を行うホストコンピュータ１００と、露光用デジタル画像データに基づいて、プリント用感光材料に露光する露光装置２００と、露光装置２００で露光されたプリント用感光材料を現像処理する自動現像機３００と、自動現像機３００で現像処理され得られたプリントをソートするソータ４００と、を有する。
【００２７】
また、ホストコンピュータ１００には、フィルムスキャナ６００と、モニタ１９０と、モニタ１９０の表示面上に設けられたタッチパネル１８０と、フラットベットスキャナ１７０と、キーボード１２０と、ＰＣカード（ＰＣＭＣＩＡで規格されたＴＹＰＥ  IIのＩＣカード）リーダ１４０と、ＣＤ（コンパクトディスク）ドライブ１５０とが接続されている。
【００２８】
また、露光装置２００は、プリント用感光材料のロールを収容するマガジン２１０をセットするマガジン台２０４と、マガジン２１０からプリント用感光材料を送出し、所定の長さのシートに切断して、露光部２５０に送る送出部２３０と、ホストコンピュータ１００から送られたデジタル画像データに基づいて、送出部２３０から送られたシート状のプリント用感光材料を露光する露光部２５０と、露光部２５０で露光されたプリント用感光材料に印字しながら、このプリント用感光材料を自動現像機３００に送る搬送部２９０と、を有する。
【００２９】
また、自動現像機３００は、露光装置２００で露光されたプリント用感光材料を一定の搬送速度で所定の搬送経路に沿って搬送しながら、現像処理するものである。そして、自動現像機３００は、露光装置２００から送られたプリント用感光材料を発色現像処理する発色現像処理槽３１０と、発色現像処理槽３１０で発色現像処理されたプリント用感光材料を漂白定着処理する漂白定着処理槽３２０と、漂白定着処理槽３２０で漂白定着処理されたプリント用感光材料を安定化処理する安定化処理部３３０と、安定化処理部３３０で安定化処理されたプリント用感光材料を乾燥処理する乾燥部３４０と、を有する。そして、乾燥部３４０で乾燥されたプリント用感光材料をソータ４００に送る。
【００３０】
なお、発色現像処理槽３１０は、プリント用感光材料を搬送するための処理ラックを内蔵し、発色現像処理液を貯留でき、貯留した発色現像処理液で前記処理ラックで搬送されているプリント用感光材料を発色現像処理する処理槽である。
【００３１】
また、漂白定着処理槽３２０は、プリント用感光材料を搬送するための処理ラックを内蔵し、漂白定着処理液を貯留でき、貯留した漂白定着処理液で前記処理ラックで搬送されているプリント用感光材料を漂白定着処理する処理槽である。
【００３２】
また、安定化処理部３３０は、プリント用感光材料を搬送するための処理ラックを内蔵し、安定化処理液で前記処理ラックで搬送されているプリント用感光材料を安定化処理する処理部である。
【００３３】
即ち、発色現像処理槽３１０が本発明の処理槽に相当するとすると、漂白定着処理槽３２０が本発明の第二の処理部に相当し、漂白定着処理槽３２０が本発明の処理槽に相当するとすると、安定化処理部３３０が本発明の第二の処理部に相当する。
【００３４】
次に、露光装置２００から送られたプリント用感光材料を発色現像処理槽３１０に送り、発色現像処理槽３１０で発色現像処理されたプリント用感光材料を漂白定着処理槽３２０に送り、漂白定着処理槽３２０で漂白定着処理されたプリント用感光材料を安定化処理部３３０に送るための渡りラック部３５０について、渡りラック部３５０及びその周辺の断面図である図６に基づいて、説明する。
【００３５】
渡りラック部３５０に設けられた搬送ローラ３５１、３５２の対とガイド３５３、３５４とが、露光装置２００から送られたプリント用感光材料を、発色現像処理槽３１０に送る。そして、発色現像処理槽３１０の処理ラックに設けられた搬送ローラ３１１、３１２の対が、送られたプリント用感光材料を発色現像処理槽３１０に貯留された発色現像処理液中に浸漬させるように搬送する。また、発色現像処理槽３１０の処理ラックに設けられた搬送ローラ３１１、３１３の対が、発色現像処理槽３１０に貯留された発色現像処理液中に浸漬したプリント用感光材料を、渡りラック部３５０に設けられた渡りローラ３５６、３５７の対に送る。
【００３６】
渡りラック部３５０に設けられた渡りローラ３５６、３５７の対とガイド３５５、３６２、３６３、３６４と渡りローラ３５８、３５９の対とが、発色現像処理槽３１０で発色現像処理されたプリント用感光材料を漂白定着処理槽３２０に送る。そして、漂白定着処理槽３２０の処理ラックに設けられた搬送ローラ３２１、３２２の対が、送られたプリント用感光材料を漂白定着処理槽３２０に貯留された漂白定着処理液中に浸漬させるように搬送する。また、漂白定着処理槽３２０の処理ラックに設けられた搬送ローラ３２１、３２３の対が、漂白定着処理槽３２０に貯留された発色現像処理液中に浸漬したプリント用感光材料を、渡りラック部３５０に設けられた渡りローラ３６６、３６７の対に送る。
【００３７】
渡りラック部３５０に設けられた渡りローラ３６６、３６７の対とガイド３６５、３６８とが、漂白定着処理槽３２０で漂白定着処理されたプリント用感光材料を安定化処理部３３０に送る。そして、安定化処理部３３０の処理ラックに設けられた入口ガイド３３１と搬送ローラ３３２、３３３の対が、送られたプリント用感光材料を安定化処理部３３０内部に搬送する。
【００３８】
また、渡りラック部３５０には、渡りローラ３５６、３５７の対に洗浄水を供給する供給ノズル３６０が設けられている。この供給ノズル３６０は、本発明の供給手段に相当する。また、液ガイド３６１により、渡りローラ３５６、３５７の対に供給された洗浄液の一部が渡りローラ３５８、３５９の対まで供給される。そして、供給ノズル３６０から供給された洗浄液は、液ガイド３６１により、発色現像処理槽３１０内に落下するようになっている。
【００３９】
これにより、発色現像処理槽３１０に貯留されていた発色現像処理液が付着したり、付着した発色現像処理液が変質したり、水分が蒸発したりして、表面に固形分が析出したり、変質分がタール状に付着したりなどした渡りローラ３５６、３５７、３５８、３５９を洗浄した洗浄水が発色現像処理槽へ供給されるので、渡りローラ３５６、３５７、３５８、３５９を洗浄した水を廃液とせずに、かつ、あまり発色現像処理槽３１０の発色現像処理液の不純物とならず、漂白定着処理槽３２０や安定化処理部３３０などにある他の液の不純物をあまり増やさずに、渡りローラ３５６、３５７、３５８、３５９を自動的に洗浄することができる。
【００４０】
また、供給ノズル３６０が渡りローラ３５６、３５７に洗浄水を供給し始めてから１５秒間、渡りローラ３５６、３５７、３５８、３５９が回転する。これにより、渡りローラ３５６、３５７全体を簡単に良好に自動的に洗浄することができる。また、液ガイド３６１により、渡りローラ３５６、３５７の対に供給された洗浄液の一部が渡りローラ３５８、３５９の対まで供給され、渡りローラ３５６、３５７、３５８、３５９が回転するから、渡りローラ３５８、３５９全体も簡単に良好に自動的に洗浄することができる。
【００４１】
また、渡りラック部３５０には、渡りローラ３６６、３６７の対に洗浄水を供給する供給ノズル３７０が設けられている。この供給ノズル３７０は、本発明の供給手段に相当する。そして、供給ノズル３７０から供給された洗浄液は、渡りローラ３６６、３６７の対から、漂白定着処理槽３２０内に落下するようになっている。
【００４２】
これにより、漂白定着処理槽３２０に貯留されていた漂白定着処理液が付着したり、付着した漂白定着処理液が変質したり、水分が蒸発したりして、表面に固形分が析出したり、変質分がタール状に付着したりなどした渡りローラ３６６、３６７を洗浄した洗浄水が漂白定着処理槽３２０へ供給されるので、渡りローラ３６６、３６７を洗浄した水を廃液とせずに、かつ、あまり処理槽の処理液の不純物とならず、安定化処理部３３０などにある他の液の不純物をあまり増やさずに、渡りローラ３６６、３６７を自動的に洗浄することができる。
【００４３】
また、供給ノズル３７０が渡りローラ３６６、３６７に洗浄水を供給し始めてから１５秒間、渡りローラ３６６、３６７が回転する。これにより、渡りローラ３６６、３６７全体を簡単に良好に自動的に洗浄することができる。
【００４４】
なお、供給ノズル３６０、３７０に供給する洗浄液は、洗浄液を収容する洗浄液容器３９０からベローズポンプのような定量ポンプ３６９、３７９で供給される。この定量ポンプ３６９、３７９は、本発明の給水制御部に相当するホストコンピュータ１００により制御されている。供給ノズル３６０、３７０に供給する洗浄液の液量は、５０ミリリットルが標準量で、キーボード１２０からの入力などにより、１ミリリットル以上２００ミリリットル以下の１ミリリットル単位の所望の値に設定することができる。
【００４５】
そして、ホストコンピュータ１００は、運転を停止する時に、先ず、発色現像処理槽３１０及び漂白定着処理槽３２０に付設された図示しないヒータと循環ポンプを停止し、また、安定化処理部３３０に付設された図示しないヒータと供給ポンプを停止し、乾燥部３４０に設けられた図示しない熱風機を停止する。次に、ホストコンピュータ１００は、発色現像処理槽３１０、漂白定着処理槽３２０、安定化処理部３３０及び乾燥部３４０に設けられた搬送ローラを停止する。
【００４６】
そして、渡りラック部３５０の渡りローラ３５６、３５７、３５８、３５９、３６６、３６７が回転している状態のまま、ホストコンピュータ１００は、定量ポンプ３６９、３７９を駆動させて、供給ノズル３６０、３７０から渡りローラ３５６、３５７、３５８、３５９、３６６、３６７に洗浄水を供給する。そして、供給ノズル３６０、３７０が渡りローラ３６６、３６７に洗浄水を供給し始めてから１５秒後、渡りローラ３５６、３５７、３５８、３５９、３６６、３６７を停止する。また、ホストコンピュータ１００は、定量ポンプ３６９、３７９が所定量の洗浄水を供給し終わると、定量ポンプ３６９、３７９を停止する。そして、ホストコンピュータ１００は、自動現像機３００の電源を切る。
【００４７】
これにより、運転を停止する時に、供給ノズル３６０、３７０が渡りローラ３５６、３５７、３５８、３５９、３６６、３６７に洗浄水を供給するので、処理液が付着した渡りローラ３５６、３５７、３５８、３５９、３６６、３６７を自動的に洗浄でき、渡りローラ３５６、３５７、３５８、３５９、３６６、３６７に付着した処理液が変質したり、水分が蒸発したりして、渡りローラ３５６、３５７、３５８、３５９、３６６、３６７の表面に固形分が析出したり、変質分がタール状に付着したりなどすることを抑制でき、長時間、運転停止しても、その後に処理されたプリント用感光材料が、汚れた物になったり、傷ついたものになったりする問題の発生を抑制できる。
【００４８】
また、ホストコンピュータ１００は、運転を開始する時に、先ず、自動現像機３００の電源を入れる。そして、ホストコンピュータ１００は、渡りラック部３５０の渡りローラ３５６、３５７、３５８、３５９、３６６、３６７の回転を開始させる。そして、渡りローラ３５６、３５７、３５８、３５９、３６６、３６７が回転している状態で、ホストコンピュータ１００は、定量ポンプ３６９、３７９を駆動させて、供給ノズル３６０、３７０から渡りローラ３５６、３５７、３５８、３５９、３６６、３６７に洗浄水を供給する。そして、ホストコンピュータ１００は、定量ポンプ３６９、３７９が所定量の洗浄水を供給し終わると、定量ポンプ３６９、３７９を停止する。
【００４９】
そして、ホストコンピュータ１００は、発色現像処理槽３１０及び漂白定着処理槽３２０に付設された図示しないヒータと循環ポンプを稼働させ、また、安定化処理部３３０に付設された図示しないヒータと供給ポンプを稼働させ、乾燥部３４０に設けられた図示しない熱風機を稼働させる。次に、ホストコンピュータ１００は、発色現像処理槽３１０、漂白定着処理槽３２０、安定化処理部３３０及び乾燥部３４０に設けられた搬送ローラを稼働させる。
【００５０】
そして、ホストコンピュータ１００は、運転を開始する時に、供給ノズル３６０、３７０が渡りローラ３５６、３５７、３５８、３５９、３６６、３６７に供給する洗浄水の量が、運転を停止する時から運転を開始するまでの時間に応じた量であるように、制御する。
【００５１】
即ち、ホストコンピュータ１００は、以下の演算を行い、以下のように定量ポンプ３６９、３７９を制御する。第一に、運転を停止する時から運転を開始するまでの時間から、発色現像処理槽３１０からの蒸発量と、漂白定着処理槽３２０からの蒸発量を推測する。第二に、推測された発色現像処理槽３１０からの蒸発量から運転を停止する時に供給した洗浄水の量を引いて、発色現像処理槽３１０への蒸発補正量を算出し、また、推測された漂白定着処理槽３２０からの蒸発量から運転を停止する時に供給した洗浄水の量を引いて、漂白定着処理槽３２０への蒸発補正量を算出する。第三に、算出した発色現像処理槽３１０への蒸発補正量が正の数であれば、即ち、０を越えていたら、定量ポンプ３６９を駆動し、算出した発色現像処理槽３１０への蒸発補正量の洗浄水を、対応する供給ノズル３６０に供給し、また、算出した漂白定着処理槽３２０への蒸発補正量が正の数であれば、即ち、０を越えていたら、定量ポンプ３７９を駆動し、算出した漂白定着処理槽３２０への蒸発補正量の洗浄水を、対応する供給ノズル３７０に供給する。
【００５２】
これにより、運転を開始する時に、発色現像処理槽３１０及び漂白定着処理槽３２０へ供給される水の量が、運転を停止する時から運転を開始するまでの時間に応じた量であるように、制御するから、予め、運転を停止する時から運転を開始するまでの時間を決める必要がなく、運転を停止する時から運転を開始する時までの時間に処理槽から蒸発すると推測される水分を補充することができる。
【００５３】
変形形態１
ホストコンピュータ１００は、実施形態のように、供給ノズル３６０、３７０から渡りローラ３５６、３５７、３５８、３５９、３６６、３６７に洗浄水を供給するように制御する代わりに、以下のように、制御してもよい。
【００５４】
予め、運転を停止する前に、運転を停止する時から運転を再び開始するまでの運転再開時間を、キーボード１２０からの入力などによって、設定する。そして、ホストコンピュータ１００が、この運転再開時間から、発色現像処理槽３１０からの蒸発量と、漂白定着処理槽３２０からの蒸発量を推測する。そして、ホストコンピュータ１００が、この運転再開時間に応じて推測した発色現像処理槽３１０からの蒸発量の洗浄水を、供給ノズル３６０が渡りローラ３５６、３５７へ供給するように、定量ポンプ３６９を制御する。また、ホストコンピュータ１００が、この運転再開時間に応じて推測した漂白定着処理槽３２０からの蒸発量の洗浄水を、供給ノズル３７０が渡りローラ３６６、３６７へ供給するように、定量ポンプ３７９を制御する。
【００５５】
そして、ホストコンピュータ１００は、内蔵するタイマーによって、運転を停止する時から運転再開時間後に、運転を開始させる制御をする。即ち、ホストコンピュータ１００は、本発明の制御手段に相当する。但し、この運転を開始する時には、定量ポンプ３６９、３７９は稼働しない。
【００５６】
変形形態２
また、ホストコンピュータ１００は、実施形態のように、供給ノズル３６０、３７０から渡りローラ３５６、３５７、３５８、３５９、３６６、３６７に洗浄水を供給するように制御する代わりに、以下のように、制御してもよい。
【００５７】
即ち、運転を停止する時に、定量ポンプ３６９、３７９は稼働しない。その代わりに、ホストコンピュータ１００は、運転を開始する時に、運転を停止する時から運転を再び開始するまでの運転再開時間から推測される発色現像処理槽３１０からの蒸発量の洗浄水を供給ノズル３６０が渡りローラ３５６、３５７へ供給するように、定量ポンプ３６９を制御し、また、運転を停止する時から運転を再び開始するまでの運転再開時間から推測される漂白定着処理槽３２０からの蒸発量の洗浄水を供給ノズル３７０が渡りローラ３６６、３６７へ供給するように、定量ポンプ３７９を制御する。
【００５８】
これにより、予め、運転を停止する時から運転を開始するまでの時間を決める必要がない。
【００５９】
本願発明により、長時間、運転停止しても、その後に処理されたハロゲン化銀写真感光材料が、汚れた物になったり、傷ついたものになったりする問題の発生を抑制するように、渡りローラを自動的に洗浄することができる。
【図面の簡単な説明】
【図１】実施形態のプリンタプロセッサの概略斜視図。
【図２】実施形態のプリンタプロセッサの概略正面図。
【図３】実施形態のプリンタプロセッサの概略上面図。
【図４】実施形態のプリンタプロセッサの概略左側面図。
【図５】実施形態のプリンタプロセッサの概略正面断面図。
【図６】実施形態の自動現像機の渡りラック部及びその周辺の断面図。
【符号の説明】
１００  ホストコンピュータ
２００  露光装置
３００  自動現像機
３１０  発色現像処理槽
３２０  漂白定着処理槽
３３０  安定化処理部
３４０  乾燥部
３５０  渡りラック部
３５６，３５７，３５８，３５９，３６６，３６７  渡りローラ
３６０，３７０  供給ノズル
３６１  液ガイド
４００  ソータ
６００  スキャナ
【図１】
0003671655.tif 000002
【図２】
0003671655.tif 000003
【図３】
0003671655.tif 000004
【図４】
0003671655.tif 000005
【図５】
0003671655.tif 000006
【図６】
0003671655.tif 000007